(57)【要約】      （修正有）【課題】ゼンマイバネ等を使用する事により、引き出し、巻き戻しを円滑におこなえる様にした医療用酸素ボンベに接続するビニール製チューブ収納器具を提供する。【解決手段】ビニール製チューブ巻き取り管支持台９と、前記ビニール製チューブ巻き取り管支持台に設けられた巻取り支持管と、前記巻取りバネ支持管を軸として、巻取りバネによって回転可能なビニール製チューブ巻き取り管と、前記ビニール製チューブ巻き取り管支持台９及び前記巻き取りバネ支持管８の中心を貫通するように設けた酸素供給固定管２とを有するビニール製チューブ収納器具を形成する。巻取りバネ７は前記酸素供給固定管を基点として、前記ビニール製チューブ巻取り管に固定されており、更に前記酸素供給固定管は、自在継ぎ手３を介してビニール製チューブ巻取り管上のビニール製チューブ入口１ａに接続する。【選択図】図１
0003170301.tif 000002
【実用新案登録請求の範囲】
【請求項１】
医療用酸素ボンベあるいは医療用酸素濃縮装置と患者を結ぶ、ビニ−ル製チュ−ブの長さを、調節可能にしたビニ−ル製チュ−ブ収納器具。
【請求項２】
前記ビニ−ル製チュ−ブ先端部を、補助ベルトで固定してある、請求項１に記載したビニ−ル製チュ−ブ収納器具。
【考案の詳細な説明】
【技術分野】
【０００１】  本考案は、酸素を必要とする患者が使用している、医療用酸素ボンベあるいは医療用酸素濃縮装置用ビニ−ル製チュ−ブ収納器具に関するものである。
【背景技術】
【０００２】  酸素を必要とする患者は、医療用酸素ボンベあるいは医療用酸素濃縮装置を使用している。その際、酸素を送る管は、医療用酸素ボンベあるいは医療用酸素濃縮装置までのビニ−ル製チュ−ブａおよびビニ−ル製チュ−ブａの出口から、患者の鼻や口までのビニ−ル製チュ−ブｂが使用されている。現在、ビニ−ル製チュ−ブａは、例えば、１０ｍ程度の長さがあり、１０ｍの長さのままで使用されていた。
【考案が解決しようとする課題】
【０００３】  長さの長いままの状態のビニ−ル製チュ−ブａの使用は、患者自身、家族、あるいは介護者にとって、非常に邪魔な、あるいは足に引っかけたりして危険な状態にある。従って、長さの長いビニ−ル製チュ−ブａを、患者の行動範囲に応じて、延びたり、縮んだり出来る、いわゆる、ビニ−ル製チュ−ブａの長さを調節できるビニ−ル製チュ−ブ収納器具を提供し、前述の欠点を解決しようとするものである。
【課題を解決するための手段】
【０００４】  ゼンマイバネ等を使用する事によって、ビニ−ル製チュ−ブａの長さが調節でき、また、ビニ−ル製チュ−ブａの出口が装着できる補助ベルトを着用する事により、ビニ−ル製チュ−ブａの引き出し、巻き戻しを円滑に行うことが出来る。
【考案の効果】
【０００５】  上述の様に、本考案のビニ−ル製チュ−ブ収納器具は、患者と医療用酸素ボンベあるいは医療用酸素濃縮装置を結ぶビニ−ル製チュ−ブａの長さを、何時でも調節できるため、患者、家族あるいは介護者は、長さの長いビニ−ル製チュ−ブａを足で踏みつけたり、足に引っかけたりする危険は少なくなり、また、床面を引きずることがなくなるために、ビニ−ル製チュ−ブａ表面の汚れが回避される。更に、患者自身の行動は極めて楽になる。
【図面の簡単な説明】
【０００６】
【図１】本考案のビニ−ル製チュ−ブ収納器具の−実施例を示す正面図である。
【図２】本考案のビニ−ル製チュ−ブ収納器具の補助ベルトの−実施例。
【考案を実施するための形態】
【０００７】  ビニ−ル製チュ−ブ収納器具は、主に、酸素供給回転管、酸素供給固定管、ビニ−ル製チュ−ブ巻き取り管、自在継ぎ手、巻き取りバネ、巻き取りバネ支持台、ビニ−ル製チュ−ブ巻き取り管支持台および補助ベルトで構成されている。
【実施例】
【０００８】  以下、添付図面に従って−実施例を説明する。器具は主に、ステンレス製およびビニ−ル製あるいは皮製である。酸素供給回転管１は、回転可能な酸素供給管で、先端は回転可能なビニ−ル製チュ−ブ巻き取り管５の側面に固定されている。ビニ−ル製チュ−ブ巻き取り管５は、回転しながら、ビニ−ル製チュ−ブａ４を巻き取る円柱管である。酸素供給固定管２は、酸素を送る供給管で、ビニ−ル製チュ−ブ巻き取り管支持台９および酸素供給固定管の支持台１１に固定され、ビニ−ル製チュ−ブ巻き取り管５の回転軸にもなっている。【０００９】    酸素供給回転管１と酸素供給固定管２は、自在継ぎ手３で接続され、酸素供給回転管１は回転し、酸素供給固定管２は固定の状態に置かれている。巻き取りバネ支持管８は、ビニ−ル製チュ−ブ巻き取り管支持台９に固定されている。【００１０】    また、巻き取りバネ支持管８上面に設置された巻き取りバネ７の起点部は、酸素供給固定管２に固定され、巻き取りバネ７の先端部はビニ−ル製チュ−ブ巻き取り管５に固定されている。その結果、巻き取りバネ７はビニ−ル製チュ−ブ巻き取り管５の回転方向により、巻かれたり、解放されたりする。【００１１】    ６はビニ−ル製チュ−ブ巻き取り管５に巻かれているビニ−ル製チュ−ブａ４出口を示し、補助ベルト１２に接続する。図２に示す補助ベルト１２は、ビニ−ル製チュ−ブ巻き取り管５に巻かれているビニ−ル製チュ−ブａ４の出し入れを容易にするベルトで、ビニ−ル製チュ−ブ酸素排出口６と患者の鼻や口に挿入するビニ−ル製チュ−ブｂ１３を繋ぐ器具である。
【符号の説明】
【００１２】    １  酸素供給回転管
１ａ  ビニ−ル製チュ−ブ入り口
２  酸素供給固定管
３  自在継ぎ手
４  ビニ−ル製チュ−ブａ
５  ビニ−ル製チュ−ブ巻き取り管（回転体）
６  ビニ−ル製チュ−ブ酸素排出口
７  巻き取りバネ
８  巻き取りバネ支持管
９  ビニ−ル製チュ−ブ巻き取り管支持台
１０  医療用酸素ボンベあるいは医療用酸素濃縮装置から送られる酸素供給口
１１  酸素供給固定管の支持台
１２  補助ベルト
１３  患者の鼻や口に挿入するビニ−ル製チュ−ブｂ
【産業上の利用可能性】
【００１３】  本考案器具は家庭、介護施設、病院等で使用できる。
【図１】
0003170301.tif 000003
【図２】
0003170301.tif 000004
【手続補正書】
【提出日】平成21年9月30日(2009.9.30)
【手続補正１】
【補正対象書類名】実用新案登録請求の範囲
【補正対象項目名】全文
【補正方法】変更
【補正の内容】
【実用新案登録請求の範囲】
【請求項１】
医療用酸素ボンベあるいは医療用酸素濃縮装置と患者の間を結ぶ酸素供給ビニール製チューブを、チューブ収納器具に設けた巻き取りバネを有する回転可能なチューブ巻き取り管に巻き付けたり、巻き戻し、医療用酸素ボンベあるいは医療用酸素濃縮装置と患者の間の酸素供給ビニール製チューブの長さを、たるみない状態に調節可能なビニール製チューブ収納器具。
【請求項２】
前記ビニール製チューブ先端部を、補助ベルトで固定してある、請求項１に記載したビニール製チューブ収納器具。
【手続補正書】
【提出日】平成22年1月21日(2010.1.21)
【手続補正１】
【補正対象書類名】明細書
【補正対象項目名】全文
【補正方法】変更
【補正の内容】
【考案の詳細な説明】
【技術分野】
【０００１】  本考案は、酸素を必要とする使用者が使用する、医療用酸素ボンベあるいは医療用酸素濃縮装置用ビニール製チューブ収納器具に関するものである。
【背景技術】
【０００２】  酸素を必要とする患者は、医療用酸素ボンベあるいは医療用酸素濃縮装置を使用している。その際、酸素を送る管として、ビニール製チューブが使用されている。
【考案が解決しようとする課題】
【０００３】  一般的に、ビニール製チューブの長いものでは１０ｍ程度あり、その長さは、患者自身、家族、あるいは介護者にとって、非常に邪魔な、あるいは足に引っかけたりして危険な状態にある。そこで、長さの長いビニール製チューブを、患者の行動範囲に応じて、延びたり、縮んだり出来る、いわゆる、ビニール製チューブの長さを調節できるビニール製チューブ収納器具を提供し、前述の欠点を解決しようとするものである。
【課題を解決するための手段】
【０００４】  一般的に使用されている掃除機の巻き取りバネを用いた電源コードの巻き取り機構を、ビニール製チューブに応用し、これまでの欠点を解決する。
【考案の効果】
【０００５】  上述の様に、本考案のビニール製チューブ収納器具は、一般的な掃除機の電源コードの巻き取り機構を、酸素を送るビニール製チューブに適用し、使用者と医療用酸素ボンベあるいは医療用酸素濃縮装置を結ぶビニール製チューブを伸ばしたい場合は、使用者の力で、弛みのない状態をつくることができ、逆の場合は、バネの力で、弛みのない状態をつくることができる。その結果、患者、家族あるいは介護者は、長さの長いビニール製チューブを足で踏みつけたり、足に引っかけたりする危険は少なくなり、また、床面を引きすることがなくなるために、ビニール製チューブ表面の汚れが回避され、更に、患者自身の行動は極めて楽になる。
【図面の簡単な説明】
【０００６】
【図１】本考案のビニール製チューブ収納器具の一実施例を示す正面図である。
【図２】本考案の一実施例を示す補助ベルトの概略図である。
【考案を実施するための形態】
【０００７】  ビニール製チューブ収納器具は、主に、酸素供給回転管、酸素供給固定管、ビニール製チューブ巻き取り管（カラム）、自在継ぎ手、巻き取りバネ、ベアリング、巻き取りバネ支持台、保護板および補助ベルトで構成されている。
【実施例】
【０００８】  以下、添付図面に従って一実施例を説明する。酸素供給回転管１と酸素供給固定管２は自在継ぎ手３でつながれており、酸素供給回転管１は回転でき、酸素供給固定管２は酸素供給管支持台８に固定されている。【０００９】  ビニール製チューブ巻き取り管４は上面および底面に鍔を有する円筒形のカラムで、底面の中心部には、酸素供給固定管２が貫通できるベアリング５があり、ベアリング５の外側は底面と接合し、ベアリング５の内面は酸素供給固定管２と接合している。また、酸素供給回転管１の出口は、ビニール製チューブと接続するため、ビニール製チューブ巻き取り管（カラム）４の側面を貫通し、また、ビニール製チューブを挿入し易くするためにＲをつけてある。
その結果、酸素供給回転管１とビニール製チューブ巻き取り管（カラム）４は一体化して、酸素供給固定管２を軸に回転するようになっている。【０００１０】  また、ビニール製チューブ巻き取り管（カラム）４の底面の裏側には、巻き取りバネ６があり、バネの先端、末端の一方は酸素供給固定管２と接合し、他方は底面に接合してある。また、巻き取りバネは保護板７で囲まれている。【０００１１】  また、医療用酸素ボンベあるいは医療用酸素濃縮装置から送られた酸素は、酸素供給固定管２の入口から供給されるようになっている。【０００１２】  また、補助ベルト８は、皮製のバンドに、ビニール製チューブと酸素鼻孔カニューラが接続できるパイプが装着され、また、そのパイプは、自由に移動できるようになっている。ビニール製チューブは補助ベルト８の入口に接続し、出口は酸素鼻孔カニューラに接続するようになっている。
【符号の説明】
【００１３】  １  酸素供給回転管
２  酸素供給固定管
３  自在継ぎ手
４  ビニール製チューブ巻き取り管（カラム）
５  ベアリング
６  巻き取りバネ
７  保護板
８  酸素供給固定管の支持台（円形）
９  補助ベルト
【産業上の利用可能性】
【００１４】  本考案器具は家庭、介護施設、病院等で使用できる。
【手続補正２】
【補正対象書類名】図面
【補正対象項目名】図１
【補正方法】変更
【補正の内容】
【図１】
0003170301.tif 000005
【手続補正３】
【補正対象書類名】図面
【補正対象項目名】図２
【補正方法】変更
【補正の内容】
【図２】
0003170301.tif 000006
【手続補正４】
【補正対象書類名】実用新案登録請求の範囲
【補正対象項目名】全文
【補正方法】変更
【補正の内容】
【実用新案登録請求の範囲】
【請求項１】
医療用酸素ボンベあるいは医療用酸素濃縮装置と患者の間を結ぶ酸素供給ビニール製チューブの長さを、たるみない状態に調節可能なビニール製チューブ収納器具。
【請求項２】
前記ビニール製チューブ先端部を、使用者の体に装着する補助ベルト。
【手続補正書】
【提出日】平成22年4月6日(2010.4.6)
【手続補正１】
【補正対象書類名】実用新案登録請求の範囲
【補正対象項目名】全文
【補正方法】変更
【補正の内容】
【実用新案登録請求の範囲】
【請求項１】
医療用酸素ボンベあるいは医療用酸素濃縮装置と患者の間を結ぶ酸素供給ビニール製チューブの長さを、たるみない状態に調節可能なビニール製チューブ収納器具。
【請求項２】
使用者の体に装着する補助ベルトを特徴とする請求項１に記載のビニール製チューブ収納器具。
【手続補正書】
【提出日】平成22年7月20日(2010.7.20)
【手続補正１】
【補正対象書類名】実用新案登録請求の範囲
【補正対象項目名】全文
【補正方法】変更
【補正の内容】
【実用新案登録請求の範囲】
【請求項１】
医療用酸素ボンベあるいは医療用酸素濃縮装置に使用されるビニール製チューブ収納器具は、主に、酸素供給回転管、酸素供給固定管、ビニール製チューブ巻き取り管（カラム）、自在継ぎ手、巻き取りバネ、ベアリング、巻き取りバネ支持台で構成され、使用者と医療用酸素ボンベあるいは医療用酸素濃縮装置を結ぶビニール製チューブを伸ばしたい場合は、使用者の力で、弛みのない状態をつくることができ、逆の場合は、バネの力で、弛みのない状態をつくるためのビニール製チューブ収納器具。
【手続補正書】
【提出日】平成22年12月1日(2010.12.1)
【手続補正１】
【補正対象書類名】実用新案登録請求の範囲
【補正対象項目名】全文
【補正方法】変更
【補正の内容】
【実用新案登録請求の範囲】
医療用酸素ボンベあるいは医療用酸素濃縮装置と患者の間を、弛みのない状態に調節可能な、酸素供給ビニール製チューブで連結してなる、ビニール製チューブ収納器具。
【手続補正書】
【提出日】平成23年4月14日(2011.4.14)
【手続補正１】
【補正対象書類名】実用新案登録請求の範囲
【補正対象項目名】全文
【補正方法】変更
【補正の内容】
【実用新案登録請求の範囲】
【請求項１】
医療用酸素ボンベあるいは医療用酸素濃縮装置と患者の間を、弛みのない状態の酸素供給ビニール製チューブで連結してなる、ビニール製チューブ収納器具。
【手続補正書】
【提出日】平成23年6月30日(2011.6.30)
【手続補正１】
【補正対象書類名】実用新案登録請求の範囲
【補正対象項目名】全文
【補正方法】変更
【補正の内容】
【実用新案登録請求の範囲】
【請求項１】
ビニール製チューブ巻き取り管支持台と、前記ビニール製チューブ巻き取り管支持台に設けられた巻取り支持管と、前記巻取りバネ支持管を軸として、巻取りバネによって回転可能なビニール製チューブ巻き取り管と、前記ビニール製チューブ巻き取り管支持台及び前記巻き取りバネ支持管の中心を貫通するように設けた酸素供給固定管とを有するビニール製チューブ収納器具であって、前記巻取りバネは前記酸素供給固定管を基点として、前記ビニール製チューブ巻取り管に固定されており、更に前記酸素供給固定管は、自在継ぎ手を介してビニール製チューブ巻取り管上のビニール製チューブ入口に接続されていることを特徴とする、ビニール製チューブ収納器具。